(57)【要約】      （修正有）【課題】鼻筋の両側に生じる隙間を確実に塞ぎ、呼気の漏出を防止して、眼鏡レンズが曇らないようにする使い捨てのマスクを提供する。【解決手段】平面状の一対のシート１ａ，１ｂの一端縁を湾曲状の接合部１ｃで接合して前方に膨出するカップ状に形成可能としたマスク本体と、前記各シートの他端縁にそれぞれ設けた耳かけ部とによりマスクを形成する。前記各シートの上端縁のそれぞれに上方に突出する山形カーブ状の突出片を対称に設けると共に、その各突出片３の内側面にパッド４を対称に設けて呼気の漏出を防止する。そして、マスク本体の各シートは、複数の不織布を積層して構成し、通気性を有する一方、有害物質の遮断性を有するものとする。さらに、パッドは弾性素材からなる。【選択図】図１
0003174170.tif 000002
【実用新案登録請求の範囲】
【請求項１】
平面状の一対のシートの一端縁を湾曲状の接合部で接合して前方に膨出するカップ状に形成可能としたマスク本体と、前記各シートの他端縁にそれぞれ設けた耳かけ部とからなるマスクであって、前記各シートの上端縁のそれぞれに上方に突出する山形カーブ状の突出片を対称に設けると共に、その各突出片の内側面にパッドを対称に設けて呼気の漏出を防止するようにしたことを特徴とするマスク。
【請求項２】
マスク本体の各シートは、複数の不織布を積層して構成し、通気性を有する一方、有害物質の遮断性を有するものである請求項１記載のマスク。
【請求項３】
パッドは弾性素材からなる請求項１または請求項２記載のマスク。
【請求項４】
パッドは上記接合部に間隙をおいて各突出片の内側面に設け、その上端縁は、マスク本体の突出片の上端縁と一致する形状となるように設けた請求項１から請求項３のいずれか１項記載のマスク。
【請求項５】
パッドは、眼鏡を着用した場合に、眼鏡のレンズの下縁部と顔面との間に位置して緩衝材となる請求項１から請求項４のいずれか１項記載のマスク。
【考案の詳細な説明】
【技術分野】
【０００１】
この考案は、マスク着用時に、マスクの上縁部と鼻筋の両側の顔面との間に生じる隙間を塞いで、眼鏡レンズが曇ることを防止した立体状のマスクに関するものである。
【背景技術】
【０００２】
従来、埃や花粉等が体内に侵入することを抑制する目的で、ガーゼや不織布製の平面状シートからなるマスクが使用されている。しかしながら、顔面には口や鼻などの突出部分があるため、平面状シートと顔面との間に隙間ができ、埃や花粉等の侵入を十分に防ぐことができないという問題があった。また、眼鏡を使用する者にとっては、鼻筋の両側にできる隙間から高湿の呼気が漏れ出し、眼鏡のレンズに曇りを生じるという使用上の不都合も指摘されている。
【０００３】
そのため、複数のプリーツを設けて立体状に広がるようにすると共に、上端縁に形状保持部材を設けて、鼻筋の形状に合わせることができるようにした平面状のマスクも提案されているが、完全には顔面の立体的形状に追従することができず、なお隙間から呼気が漏れ出すという課題は残されている。
【０００４】
また、これとは別に、一端縁で互いに湾曲状に接合される平板状の一対のシートと、これらのシートの他側縁に適宜な耳掛け部を形成したマスクであって、着用時には口、鼻部を覆う部分がカップ状に形成される立体マスクと称されるマスクも提案されている。かかる構成のマスクは、構造が簡易であり大量生産が容易であることから、衛生面も考慮して使用が一度きりの使い捨てマスクとして提供される。
【０００５】
これら立体マスクにおいても、上記と同様に、マスクと顔面との間に隙間が生じ、漏れ出す呼気により眼鏡のレンズが曇るという問題が残されているが、この問題に対応すべく、特許文献１から３に開示されているように、少なくともマスク上縁部において、マスクと顔面との隙間をなくして密閉性を向上させる工夫がなされたマスクも提案されている。
【先行技術文献】
【特許文献】
【０００６】
【特許文献１】登録実用新案第３１３５３２０号公報
【特許文献２】特開２００７−１８５３０１号公報
【特許文献３】特開２００８−２７９１０１号公報
【考案の概要】
【考案が解決しようとする課題】
【０００７】
特許文献１に開示された立体マスクは、マスクの上縁に沿って撓み変形可能な形状保持部材を設けると共に、これと対応して低反発性パッド材を帯状に設けたもので、主に有害粒子等の侵入を防止することを目的としたものである。このマスクによれば、マスクの上縁を顔の凹凸に合わせて曲げることで顔に密着させ、さらにパッド材で隙間を塞ぐことが可能である。しかし、形状保持部材をマスク上縁に内装したり、パッドをそれと対応して設けるなど、構造が複雑であるから、製造コストの増加は免れられず、使い捨ての使用には必ずしも適応しないという問題がある。また、等厚の低反発性パッド材が帯状にマスク上縁の全部に渡って設けられているので、鼻筋からその両側に密着させると部位により反発力が異なり、違和感、不快感を生じさせると共に、隙間を完全に塞ぐことがかえって困難となるという問題が残されている。また、パッド材の材質によってはその通気性により高湿の呼気が漏出して眼鏡レンズを曇らせるという問題は解決されていない。
【０００８】
また、特許文献２に開示されたマスクは、前記一般的な立体状のマスクの上縁に一対の延出部を設けることで鼻から頬骨に亘って密閉性を向上したものである。かかる構成のマスクによれば、鼻と頬骨との間から呼気が漏出するという問題はある程度解決できるものであるが、該延出部の先端は自由端であるので、顔面の動きによっては密閉性が必ずしも十分に維持されず、なお呼気が漏出するという問題が残される。
【０００９】
また、特許文献３に開示されたマスクは、マスク本体の上縁の中央両側に一対の突出片を設けたもので、眼鏡の鼻当てパッドにより該突出片を顔面に押し付けて鼻の両側に生じる隙間を塞ぐようにしたものである。さらに、その突出片の外側に眼鏡レンズの枠と接触して顔面に押し付けるための押付部を設けた構成も開示されている。しかしながら、最近の眼鏡はデザイン製が重視され、種々の大きさ、形状のものがあるので、眼鏡の鼻当てパッドやレンズ枠の位置がそれぞれ異なり、必ずしも突出片を押し付けることができないという問題がある。そのため、呼気の漏出を完全に防止するという本来の目的を確実に解決するものではなかった。
【００１０】
本願考案は、かかる従来のマスクが有する種々の課題を解決するため考案されたものであって、使い捨ての立体状のマスクにおいて、鼻筋の両側に生じる隙間を確実に塞ぎ、呼気の漏出を完全に防止して、眼鏡レンズが曇らないようにしたマスクを提供するものである。
【課題を解決するための手段】
【００１１】
上記各課題を解決するために、本考案に係るマスクは、平面状の一対のシートの一端縁を湾曲状の接合部で接合して前方に膨出するカップ状に形成可能としたマスク本体と、前記各シートの他端縁にそれぞれ設けた耳かけ部とからなるマスクであって、前記各シートの上端縁のそれぞれに上方に突出する山形カーブ状の突出片を対称に設けると共に、その各突出片の内側面にパッドを対称に設けて呼気の漏出を防止するという手段を採用した。
【００１２】
そして、マスク本体の各シートは、複数の不織布を積層して構成し、通気性を有する一方、有害物質の遮断性を有するものであるという手段を採用した。
【００１３】
さらに、パッドは弾性素材からなるという手段を採用した。
【００１４】
また、パッドは上記接合部に間隙をおいて各突出片の内側面に設け、その上端縁は、マスク本体の突出片の上端縁と一致する形状となるように設けるという手段を採用した。
【００１５】
さらに、パッドは、眼鏡を着用した場合に、眼鏡のレンズの下縁部と顔面との間に位置して緩衝材となるという手段を採用した。
【考案の効果】
【００１６】
上記構成にかかる本考案のマスクは、前方に膨出するカップ状に形成可能な立体的なマスクにおいて、各シートの上端縁に突出片を対象に設けると共に、それぞれの内側面にパッドを取り付けたものであるから、顔に装着すると、マスク本体が口及び鼻を確実に覆うと共に、鼻筋の両側と顔面との間に生じる隙間を、上記突出片及びパッドが塞いで、該部から高湿の呼気が漏出することを阻止する。そのため、呼気によって眼鏡のレンズが曇ることを確実に防止することができるという格別の効果が期待できる優れた考案である。
【００１７】
また、マスク本体は複数積層する腐食で構成し、パッドを弾性素材で構成するので、通気性を確保しつつ、優雅得物質の吸い込みを確実に抑制し、また、その柔軟性から、顔面の形状に沿って密着し、パッドが隙間を塞ぐものである。
【００１８】
また、突出片の上端縁とパッドの上端縁の形状を一致させているので、パッドの湾曲に従って隙間を確実に塞ぐことができ、見栄えもよい。
【００１９】
また、眼鏡の下縁部と干渉する場合は、パッドが緩衝材として作用する。
【図面の簡単な説明】
【００２０】
【図１】本考案に係るマスクの実施形態の斜視図である。
【図２】マスクを開き内側からみた状態の一部を示す説明図である。
【考案を実施するための形態】
【００２１】
以下、本考案に係るマスクの好ましい実施形態について、添付図面に従って説明する。図１、２において、１はマスク本体であって、左右一対の平板なシート１ａ，１ｂの一端縁を湾曲状の接合部１ｃで接合したものである。２、２は前記シート１ａ、１ｂの各他端縁に取り付けた耳かけ部である。かかる構成は従来からあるこの種の立体状のマスクに共通するものであり、上記接合部１ｃを中心に左右対称に拡開することによってマスク本体１が前方に膨出したカップ状となり、顔面の頬から顎に掛けてほぼ密着し、口元及び鼻を被覆することができる。このとき、マスク本体１はカップ状となるので、マスク本体１が口や鼻に直接密着することがなく、呼吸が楽であり、不快感がない。
【００２２】
このマスク本体１の各シート１ａ、１ｂは、例えば複数層の不織布を積層して構成し、適度な通気性を有する一方、埃や花粉等の有害物質の吸引を遮断する。そして、その接合部１ｃは、例えば熱溶着により外側に突出した湾曲状に接合している。耳かけ部２、２は、好ましくは伸縮性素材からなり、それぞれ環状に設けて熱溶着によりシート１ａ、１ｂに取り付けている。なお、耳かけ部２の態様はこれに限らず、例えばシート１ａの他端縁を折り返して筒状にし、これに紐部材を通して設けてもよく、また、シートの他端縁をそのまま延長して一体の環状部を形成して耳掛け部とすることも可能である（例えば特許文献１、２参照）。即ち、耳かけ部２の態様は本考案の本質的な部分ではないから、その構成は従来公知の各種構成を任意に採用することができる。
【００２３】
次に、３、３はマスク本体１の各シート１ａ、１ｂの上端縁において、その接合部１ｃの左右に対称に設ける上方に突出する山形カーブ状の突出片である。即ち、接合部１ｃの上端縁より突出片３、３の上端縁の方が上方に突出して位置する。この突出片３、３は、マスク本体１を開いたときに、内側（顔面側）に湾曲させて、鼻筋の両側に生じる隙間に沿って顔面に密着し、該部の密閉性を向上する。そのため、この突出片３、３によって、呼気の漏出を防止し眼鏡のレンズが曇ることを防ぐことができる。
【００２４】
また、この突出片３、３の内側面には、マスク本体の接合部１ｃの部分に適宜な間隙３ａをあけて、弾性素材からなる所定厚さのパッド４、４を対称に設けている。このパッド４、４は、接着剤、熱溶着等任意の手段で上記突出片３、３の裏面に取り付ける。また、このパッドの形状は特に限定するものではないが、少なくともその上端縁は突出片３、３の上端縁の曲線形状と一致させることが好ましい。かかる態様のパッド４、４の存在により、マスク本体１はその弾性で開き、左右に開いたときに該部が内側に湾曲し、接合部１ｃの間隙３ａ部分が鼻筋に密着すると共に、パッド４、４は弾性変形しながら、鼻筋の両側に生じる隙間をより確実に塞いで顔面に密着して該部を密閉するので、呼気の漏出を完全に遮断する。これにより、眼鏡のレンズが曇ることが確実に防止できる。そのため、パッド４、４の素材は特に限定するものではないが、高湿の呼気が安易に通過しない程度の通気性を有する素材を採用することが好ましい。
【００２５】
なお、こ突出片３、３、及びパッド４、４は、眼鏡を装着した場合、眼鏡の形状によっては眼鏡レンズの縁部と干渉する場合があるが、この場合には、眼鏡レンズの下縁部が突出片３、３を上から押さえることになり、突出片３、３の顔面に対する密着度が向上し、前記隙間を確実に塞ぐと共に、そのとき、パッド４、４が緩衝材として作用する。
【００２６】
なお、上記構成のマスクの具体的製法については、特に限定するものではないが、複数積層した不織布の適当位置に弾性素材にパッドを挟持させ、上からトムソン刃等で押下裁断することにより簡単にマスク本体を形成することが可能であり、このとき、突出片３の上縁の形状とパッド４の上縁の形状は完全に一致させることができる。そして、その後、適宜な手段で耳掛け部を形成すればよい。
【符号の説明】
【００２７】
１    マスク本体
１ａ  シート
１ｂ  シート
１ｃ  接合部
２    耳かけ部
３    突出片
３ａ  間隙
４    パッド
【図１】
0003174170.tif 000003
【図２】
0003174170.tif 000004